(57)【特許請求の範囲】
【請求項１】
カッター（Ｃ）の縦方向ガイド上の可動支持体（２）と、第１の横方向回転軸（４）を中心として回転自在に移動可能な、前記支持体（２）に搭載された本体（３）と、前記本体（３）の第１の端部に固定されたグリップハンドル（５）と、切断工具（６）と、分離されるべきセラミック部品（Ｐ）上の支持体脚部（７）が設けられたセパレータとを備える、手動式セラミックカッターのための切断および分離ヘッドであって、
前記切断および分離ヘッドは、
第２の横方向回転軸（９）に搭載され、前記セパレータの前記脚部（７）が関節結合された第１の端部と、その反対側の第２の端部とを有するクラス１レバー（８）と、
前記レバー（８）の前記第２の端部上に関節結合された第１の連結要素（１０）と、
少なくとも１つのばね（１１）とを備え、前記少なくとも１つのばね（１１）は、前記第１の連結要素（１０）に作用し、前記ヘッド（１）の前記本体（３）において画定された第２の連結要素（１２）との連結位置に向けて前記第１の連結要素（１０）を回転させようとし、前記ヘッドの前記本体（３）が上昇方向に傾けられ、水平位置に対する第１の傾斜角（ａ）を越えて前記第１の傾斜角（ａ）よりも大きい第２の角度（ｂ）よりも小さい傾斜角で維持されると、前記第１の連結要素（１０）の前記第２の連結要素（１２）への連結を自動的に確立し、セパレータは動作位置に配設され、
前記切断および分離ヘッドは、前記第１および第２の連結要素（１０、１２）を解放するためのカム（１３）をさらに備え、前記カム（１３）は、前記本体（３）に搭載されて第１の位置と第２の位置との間で相対回転可能であり、前記本体（３）が前記上昇方向に傾けられて前記第２の角度（ｂ）に達すると、前記第１の連結要素（１０）に自動的に作用して前記第１の連結要素（１０）を前記第２の連結要素（１２）から解放し、前記ヘッドの前記本体が下降方向に傾けられると、前記第１の連結要素（１０）を前記第２の連結要素の経路から離して維持し、前記ヘッドの前記本体（３）が前記第１の傾斜角よりも小さい傾斜角に到達すると、自動的に前記第１の連結要素（１０）を解放し、前記セパレータは非動作位置に配設されることを特徴とする、切断および分離ヘッド。
【請求項２】
前記カム（１３）は、
前記本体（３）の前記第１の回転軸（４）上に搭載され、
前記本体（３）に取付けられた止め具（１４）の、前記カム（１３）において画定された湾曲したスロット（１５）内部に沿った経路に沿う、前記本体（３）に対する相対的な回転が、制限されていることを特徴とする、請求項１に記載のヘッド。
【請求項３】
前記角度（ｂ）が７０度よりも大きいことを特徴とする、請求項１に記載のヘッド。
【請求項４】
前記角度（ｂ）が１０５度であることを特徴とする、請求項３に記載のヘッド。
【発明の詳細な説明】
【技術分野】
【０００１】
発明の目的
本発明の目的は、セパレータの作動を簡単にすることが意図された特別な構造上の特徴を有し、ヘッドの傾斜を変えるだけで動作位置または非動作位置にセパレータを配置可能な、手動式セラミックカッターのための切断および分離ヘッドである。
【０００２】
発明の応用分野
本発明は、手動式セラミックカッターに応用可能である。
【背景技術】
【０００３】
従来技術
現在知られている手動式セラミックカッターは、切断されるべきセラミック部品のための支持面を有する基部と、少なくとも１つの縦方向のガイドとを有し、基部上に配設されている切断されるべき手動式セラミック部品のための切断および分離ヘッドが、対応する可動ランナーまたは支持体によって搭載されている。
【０００４】
これらの切断および分離ヘッドは、横方向回転軸によって可動ランナーまたは支持体に搭載された本体を有する、すなわち、この軸はカッターの縦方向ガイドに垂直である。該切断および分離ヘッドは、第１の端部上にその把持および操作のためのハンドルを有することが知られている。このヘッドは、切断されるべきセラミック部品に傷をつけるまたは刻み目を入れるための切断工具と、切断工具によって既に刻み目を入れた縦方向の切断線に沿ってセラミック部品を割って分離するためのセパレータとをさらに備える。
【０００５】
現在知られている手動式セラミックカッターは、異なる構成のセパレータを有し、各々、分離されるべきセラミック部品に作用するように、オペレータがセパレータを手動で操作して、切断工具によるセラミック部品の切断またはスクラッチ作業中にこのセパレータを非動作位置に配置しなければならない、または、セパレータが切断工具の下に配設される動作位置にセパレータを配置しなければならないという、共通の特徴を共有している。
【０００６】
したがって、たとえば、実用新案ＥＳ１０６２５８４Ｕでは、セパレータは基本的に、その上に回転軸によってカッターのハンドル／ヘッドに直接搭載された折り畳み式の部分によって形成されている。
【０００７】
実用新案ＥＳ１０４２５６３Ｕでは、カッターも回転軸によってヘッドの本体に直接搭載されている。該セパレータは、ヘッドの作動レバーまたはハンドルに搭載された位置決め機構に接続されており、セパレータをまとめる脚部に接続ロッドによって接合されたシリンダ操作摺動機構と、スリーブと、ばねとを備える。
【０００８】
セパレータを回転軸によって切断ヘッドに直接搭載することは、ユーザが切断工具によって既に画定された切断線に沿ってセラミック部品を分離するよう大きな力を加えなければならないことを意味する。
【０００９】
これらのセパレータには、以下のような別の欠点がある。動作位置または非動作位置にセパレータを配置するためには、ユーザが手動で作動させる必要があり、そのためには、ユーザが両手を使用する必要がある、つまり、片手でヘッドのハンドルを保持し、他方の手でセパレータの位置を変更する必要があるため、切断工具を用いてセラミック部品に切り目を入れる作業と切断線に沿った同部品の分離との間の時間に、ユーザが固定位置にセラミック部品を手動で保持することを妨げている。
【発明の概要】
【課題を解決するための手段】
【００１０】
発明の説明
上述の種類の手動式セラミックカッターに応用可能な、本発明の目的である、手動式セラミックカッターのための切断および分離ヘッドは、上述の問題を解決するように意図された特徴を有する。その問題は、作業者が、切断工具で前もって切り目を入れられているセラミック部品を、その後両手を使って分離する必要があるということと関係があり、また、セラミック部品を分離するためにヘッドのハンドルに加えられる力と関係がある。
【００１１】
手動式セラミックカッターのためのこのような切断および分離ヘッドは、請求項１の「特徴とする部分」より前の部分で説明された種類である。このヘッドは、カッターの縦方向ガイド上の可動支持体と、第１の横方向回転軸を中心として回転自在に移動可能な、可動支持体に搭載される本体と、本体の第１の端部に固定されたグリップハンドルと、切断工具と、分離されるべきセラミック部品上の支持体脚部を設けられたセパレータとを備える。
【００１２】
提案された目的を達成するために、この切断ヘッドは、第２の横方向回転軸に搭載されたクラス１レバーを備える。このレバーは、セパレータの脚部が関節結合される第１の端部と、関節結合されたヘッドの本体に第１の連結要素が関節結合される、第１の端部と反対側の第２の端部とを有する。
【００１３】
このレバーは、ユーザによってヘッドのハンドルに加えられる力よりも大きい力をセパレータの脚部に伝達し、切断工具によって前もって切り目を入れられたセラミック部品を分離するために必要な労力を最小限にするという目的を有している。
【００１４】
ヘッドは、第１の連結要素に作用し第１の連結要素をヘッドの本体において画定されている第２の連結要素との連結位置に向けて回転させるようにする少なくとも１つのばねを組み込んでいる。ヘッドの本体が上昇方向に傾けられて水平位置の上で第１の傾斜角を越えると、ヘッドは、第１の連結要素の第２の連結要素に対する連結を自動的に確立し、セパレータは動作位置になる。
【００１５】
これにより、上述の第１の角度よりも小さい傾斜角でヘッドが配設されると、ヘッドが動作可能切断位置に確実に留まるようにし、ヘッドが上部ゾーンに向けて傾けられて該第１の角度を越えると、作業者が第２の連結要素に対する第１の連結要素の連結を操作することなく、自動的にこのような状態になり、カッターは、セラミック部品を分離するよう動作位置になる。
【００１６】
第１の連結要素の第２の連結要素への連結が確立されると、カッターはセラミック部品を分離するよう動作位置に留まる一方で、ヘッドの本体は、第１の角度よりも大きく、第１の角度よりも大きい第２の角度よりも小さい傾斜角で保持される。
【００１７】
自動的にヘッドを切断位置に戻すことができるようにするためには、作業者は、ヘッドのハンドルを操作し、それを上述の第２の角度に到達するまで上部領域に向けて傾け、その後、ヘッドの本体が第１の角度よりも小さい傾斜角に到達するまで下げるだけでよい。
【００１８】
自動的にヘッドの分離位置を切断位置に変更するために、ヘッドは、第１および第２の連結要素を解放するためのカムを備える。カムは、本体に搭載されており、第１の位置と第２の位置との間で相対回転可能である。
【００１９】
本体のヘッドが上昇方向に傾けられて上記の第２の角度に到達すると、このカムは自動的に第１の連結要素に作用して、第１の連結要素を第２の連結要素から解放する。カムは、第１の連結要素を第２の連結要素の経路から離して維持し、その後、ヘッドの本体が下降方向に傾けられると、それを切り離す。ヘッドの本体が第２の角度よりも小さい第１の角度よりも小さい傾斜角に到達すると、カムは自動的に第１の連結要素を解放する。
【００２０】
本発明では、ヘッドのハンドルに対してより大きいまたは小さい力を加えるために、第１のおよび／または第２の連結要素は複数の連続する連結ポイントを有しており、その力は、セパレータの脚部に伝達される。
【００２１】
本発明の具体的な実施形態では、本発明のこれらのおよび他の特徴は、添付された図面に示される例示的な実施形態を考慮してよりよく理解される。
【００２２】
ここでなされる説明を補完し、本発明の特徴をより容易に理解するための手助けとして、本明細書には一組の図面が添えられているが、それらは例示であり、発明を限定するものではない。
【００２３】
図面の説明
【図面の簡単な説明】
【００２４】
【図１】手動式セラミックカッターに適用される、本発明に係る切断および分離ヘッドの例示的な実施形態の概略斜視図である。
【図２】第１の連結要素がスターラップによって形成され、第２の連結要素がヘッドの本体において画定された歯によって形成されている、切断および分離ヘッドの斜視図である。
【図３】可動支持体のうちの１つとカッターの対応する縦方向ガイドが取り除かれたヘッドの断面図であり、動作可能切断位置にあるヘッドを示す図である。
【図４】第１および第２の連結要素の異なる相対位置のうちの１つにおける切断および分離ヘッドの断面図である。
【図５】第１および第２の連結要素の異なる相対位置のうちの１つにおける切断および分離ヘッドの断面図である。
【図６】第１のおよび第２の連結要素の異なる相対位置のうちの１つにおける切断および分離ヘッドの断面図である。
【図７】第１および第２の連結要素の異なる相対位置のうちの１つにおける切断および分離ヘッドの断面図である。
【発明を実施するための形態】
【００２５】
発明の好ましい実施形態
図１では、カッターの基部の上方に平行に配設された縦方向ガイドに沿って移動させることが可能な手動式セラミックカッター（Ｃ）に搭載されたセラミック部品の切断および分離ヘッド（１）の例示的な実施形態が示されている。
【００２６】
図２に示す例ではヘッド（１）の例示的な実施形態が示され、ヘッド（１）は、その両側の支持体（２）と、支持体（２）に搭載された本体（３）とを備える。この場合、支持体（２）は、カッターのガイドに沿ったその動きのためのランナで構成されており、本体（３）は、第１の横方向軸（４）を中心として回転可能である。本体（３）は、その第１の端部に固定されたハンドル（５）を有する。
【００２７】
図３〜図７により明確に示されるように、本体（３）は、その下端部に、縦方向のスクラッチ用の、カッターの基部上に位置決めされたセラミック部品（Ｐ）上に切断ラインを定めるための切断工具（６）を有する。
【００２８】
ヘッド（１）は、切断工具（６）によって定められた切り目に沿って分離されるべきセラミック部品（Ｐ）のためのセパレータをさらに有する。
【００２９】
このセパレータは、切断されるべきセラミック部品（Ｐ）を分離するためにこれらの部品を押圧するように意図された脚部（７）を含み、この脚部（７）は、第２の横方向回転軸（９）によって可動支持体（２）上に搭載されるクラス１レバー（８）の第１の端部上に、回転軸によって接合される。
【００３０】
第１の連結要素（１０）が、レバー（８）の第２の端部に搭載される。この場合、この連結要素はスターラップのような構成を有しており、図２および図３に示すようにバネ（１１）によって押され、バネは、第２の連結要素（１２）が画定されている本体（３）の第２の端部に対して第１の連結要素を押そうとする。この場合、第２の連結要素は、第１の連結要素（１０）を形成するスターラップの２つの異なる連結ポイントに対応する歯によって形成されている。
【００３１】
本体（３）に取付けられた止め具（１４）の経路によって定められる第１の位置と第２の位置との間で本体（３）に対して回転可能なカム（１３）が、本体（３）、具体的には同じ第１の回転軸（４）に搭載されており、上記経路は、カム（１３）において画定される湾曲したスロット（１５）の内部に沿った経路である。
【００３２】
図３に示す位置において、第１の連結要素（１０）は第２の連結要素（１２）の下に位置し、そのため、第２の連結要素（１２）からは解放されている。これによって、本体（３）が第１の横方向軸（４）上で回転し、切断工具（６）は切り目を入れられるべきセラミック部品（Ｐ）と接触し、カッター（Ｃ）のガイドに沿ってヘッド（１）を移動させることによってセラミック部品に切り目が入れられるように、ハンドル（５）を作動させることが可能になる。したがって、図３では、ヘッド（１）は切断位置にある。
【００３３】
図４に示すように、セラミック部品（Ｐ）を分離するようヘッド（１）を動作位置に配設するためには、ヘッド（１）の本体（３）を、水平位置より高い第１の傾斜角（ａ）に達するように上昇方向に傾けるだけでよく、そこで、スターラップまたは第１の連結要素（１０）と第２の連結要素（１２）の歯のうちの１つとの連結が確立される。
【００３４】
ヘッドがこの位置に達すると、ハンドルに下向きの力を加えた場合、この大きな力は第１の連結要素（１０）およびレバー（８）によってセパレータの脚部（７）に伝達される。
【００３５】
第２の連結要素（１２）に対して第１の連結要素（１０）が連結する歯またはポイントを変更することによって、ハンドル（５）に加えられてセパレータの脚部（７）に伝達される力を大きく、または小さくしたものが得られる。
【００３６】
ハンドルが持ち上げられた場合でも、また、図５に示すように、ハンドルが垂直位置を越えた場合でも、第１の連結要素（１０）の第２の連結要素（１２）に対する連結は維持される。
【００３７】
セパレータを解放してヘッドを切断位置に戻すためには、図６に示す第２の角度（ｂ）に達するまで、上昇方向に本体（３）の傾斜角度を増大させるだけでよく、そこで、カム（１３）は第１の連結要素（１０）に作用し、第１の連結要素（１０）を第２の連結要素（１２）の歯から解放する。本発明の一実施形態では、上述の角度（ｂ）は９０度より大きく、具体的な例では１０５度である。
【００３８】
この位置に到達すると、反対方向に、つまり、下降方向にヘッド（１）の本体（３）を傾けるようハンドル（５）を操作するだけでよく、図７に示すように、第１の連結要素（１０）と共にカム（１３）を第２の連結要素（１２）の経路から遠ざけておくことができる。
【００３９】
ヘッドの本体（３）が第１の角度（ａ）よりも小さい傾斜角に達してヘッド（１）が切断位置に戻ると、このカム（１３）は自動的に第１の連結要素（１０）を解放し、セパレータが図３に示す非動作位置になる。
【００４０】
好ましい実施形態例に加えて本発明の特徴について十分な説明を行なったが、以下で請求される発明の重要な特徴を変更することを示唆しないという条件で、関連した目的のために、説明された構成要素の材料、形状、サイズ、および配置を変更可能である。
【図１】
0006411671.tif 000002
【図２】
0006411671.tif 000003
【図３】
0006411671.tif 000004
【図４】
0006411671.tif 000005
【図５】
0006411671.tif 000006
【図６】
0006411671.tif 000007
【図７】
0006411671.tif 000008